【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
インクを吐出するノズルを複数配列したノズル列を、複数の色のインクそれぞれに対応させて複数配置した第一のノズル列群と、インクを吐出するノズルを複数配列したノズル列を、前記第一のノズル列群から吐出されるインクとは異なる複数の色のインクそれぞれに対応させて複数配置した第二のノズル列群とを備える記録ヘッドを用い、記録媒体に記録を行なうインクジェット記録装置において、
前記第一、第二のノズル列群それぞれをキャップする複数のキャップ手段と、
該複数のキャップ手段内に負圧を発生させて前記複数のノズルからインクを吸引するための吸引手段であって、前記複数のキャップ手段に共通に設けられた吸引手段と、
前記複数のキャップ手段のそれぞれに前記吸引手段による負圧を発生させるか否かを切り替える切り替え手段と、
前記複数のキャップ手段内に共通の負圧を発生させる場合には、前記複数のキャップ手段全てに前記吸引手段による負圧を発生させ、前記複数のキャップ手段にそれぞれ異なる負圧を発生させる場合には、前記複数のキャップ手段内に順番に前記吸引手段による負圧を発生させるように、前記切り替え手段と前記吸引手段とを制御する制御手段と、
を具備することを特徴とするインクジェット記録装置。
【請求項２】
前記複数のキャップ手段にそれぞれ異なる負圧を発生させるか、共通の負圧を発生させるかを判断する判断手段をさらに具備することを特徴とする請求項１に記載のインクジェット記録装置。
【請求項３】
前記判断手段は、前記インクジェットヘッドのインク流路又は液室にインクを充 填させる場合、あるいは、インク流路又は液室に存在する泡を抜き取る場合に、前記複数のキャップ手段にそれぞれ異なる負圧を発生させると判断することを特徴とする請求項２に記載のインクジェット記録装置。
【請求項４】
前記判断手段は、前記ノズル近傍の増粘インクを新しいインクに置換する場合、又は前記ノズルに存在する泡を抜き取る場合に、前記複数のキャップ手段に共通の負圧を発生させると判断することを特徴とする請求項２に記載のインクジェット記録装置。
【請求項５】
前記判断手段は、前記インクジェットヘッドが前記インクジェット記録装置に初めて装着されたものか否かに基づいて、前記複数のキャップ手段にそれぞれ異なる負圧を発生させるか、共通の負圧を発生させるかを判断することを特徴とする請求項２に記載のインクジェット記録装置。
【請求項６】
前記判断手段は、前記インクジェットヘッドの未使用経過時間が閾値を超えたか否かに基づいて、前記複数のキャップ手段にそれぞれ異なる負圧を発生させるか、共通の負圧を発生させるかを判断することを特徴とする請求項２に記載のインクジェット記録装置。
【請求項７】
前記判断手段は、前記インクジェットヘッドに装着されるインクタンクのインクがなくなるまで使用されたか否かに基づいて、前記複数のキャップ手段にそれぞれ異なる負圧を発生させるか、共通の負圧を発生させるかを判断することを特徴とする請求項２に記載のインクジェット記録装置。
【請求項８】
前記判断手段は、前記インクジェットヘッドの連続記録時間が閾値を超えたか否かに基づいて、前記複数のキャップ手段にそれぞれ異なる負圧を発生させるか、共通の負圧を発生させるかを判断することを特徴とする請求項２に記載のインクジェット記録装置。
【請求項９】
前記判断手段は、前記インクジェットヘッドの連続記録の記録量が閾値を超えたか否かに基づいて、前記複数のキャップ手段にそれぞれ異なる負圧を発生させるか、共通の負圧を発生させるかを判断することを特徴とする請求項２に記載のインクジェット記録装置。
【請求項１０】
前記判断手段は、前記インクジェットヘッドにインクの吐出を行なわせた場合の昇温速度に基づいて、前記複数のキャップ手段にそれぞれ異なる負圧を発生させるか、共通の負圧を発生させるかを判断することを特徴とする請求項２に記載のインクジェット記録装置。
【請求項１１】
前記複数のキャップ手段にそれぞれ異なる負圧を発生させるか、共通の負圧を発生させるかをユーザが指示するための指示手段をさらに具備することを特徴とする請求項１に記載のインクジェット記録装置。
【請求項１２】
インクを吐出するノズルを複数配列したノズル列を、複数の色のインクそれぞれに対応させて複数配置した第一のノズル列群と、インクを吐出するノズルを複数配列したノズル列を、前記第一のノズル列群から吐出されるインクとは異なる複数の色のインクそれぞれに対応させて複数配置した第二のノズル列群とを備える記録ヘッドと、前記第一、第二のノズル列群それぞれをキャップする複数のキャップ手段と、該複数のキャップ手段内に負圧を発生させて前記複数のノズルからインクを吸引するための吸引手段であって、前記複数のキャップ手段に共通に設けられた吸引手段と、前記複数のキャップ手段のそれぞれに前記吸引手段による負圧を発生させるか否かを切り替える切り替え手段と、を備えるインクジェット記録装置を制御する方法であって、
前記複数のキャップ手段内に共通の負圧を発生させる場合には、前記複数のキャップ手段全てに前記吸引手段による負圧を発生させ、前記複数のキャップ手段にそれぞれ異なる負圧を発生させる場合には、前記複数のキャップ手段内に順番に前記吸引手段による異なる負圧を発生させるように、前記切り替え手段と前記吸引手段とを制御する制御工程を具備することを特徴とするインクジェット記録装置の制御方法。
【請求項１３】
請求項１２に記載の制御方法をコンピュータに実行させることを特徴とするプログラム。
【請求項１４】
請求項１３に記載のプログラムをコンピュータで読み取り可能に記憶したことを特徴とする記憶媒体。
【手続補正２】
【補正対象書類名】明細書
【補正対象項目名】００１９
【補正方法】変更
【補正の内容】
【００１９】
上述した課題を解決し、目的を達成するために、本発明に係わるインクジェット記録装置は、インクを吐出するノズルを複数配列したノズル列を、複数の色のインクそれぞれに対応させて複数配置した第一のノズル列群と、インクを吐出するノズルを複数配列したノズル列を、前記第一のノズル列群から吐出されるインクとは異なる複数の色のインクそれぞれに対応させて複数配置した第二のノズル列群とを備える記録ヘッドを用い、記録媒体に記録を行なうインクジェット記録装置において、前記第一、第二のノズル列群それぞれをキャップする複数のキャップ手段と、該複数のキャップ手段内に負圧を発生させて前記複数のノズルからインクを吸引するための吸引手段であって、前記複数のキャップ手段に共通に設けられた吸引手段と、前記複数のキャップ手段のそれぞれに前記吸引手段による負圧を発生させるか否かを切り替える切り替え手段と、前記複数のキャップ手段内に共通の負圧を発生させる場合には、前記複数のキャップ手段全てに前記吸引手段による負圧を発生させ、前記複数のキャップ手段にそれぞれ異なる負圧を発生させる場合には、前記複数のキャップ手段内に順番に前記吸引手段による負圧を発生させるように、前記切り替え手段と前記吸引手段とを制御する制御手段と、を具備することを特徴とする。
【手続補正３】
【補正対象書類名】明細書
【補正対象項目名】００２０
【補正方法】変更
【補正の内容】
【００２０】
また、本発明に係わるインクジェット記録装置の制御方法は、インクを吐出するノズルを複数配列したノズル列を、複数の色のインクそれぞれに対応させて複数配置した第一のノズル列群と、インクを吐出するノズルを複数配列したノズル列を、前記第一のノズル列群から吐出されるインクとは異なる複数の色のインクそれぞれに対応させて複数配置した第二のノズル列群とを備える記録ヘッドと、前記第一、第二のノズル列群それぞれをキャップする複数のキャップ手段と、該複数のキャップ手段内に負圧を発生させて前記複数のノズルからインクを吸引するための吸引手段であって、前記複数のキャップ手段に共通に設けられた吸引手段と、前記複数のキャップ手段のそれぞれに前記吸引手段による負圧を発生させるか否かを切り替える切り替え手段と、を備えるインクジェット記録装置を制御する方法であって、前記複数のキャップ手段内に共通の負圧を発生させる場合には、前記複数のキャップ手段全てに前記吸引手段による負圧を発生させ、前記複数のキャップ手段にそれぞれ異なる負圧を発生させる場合には、前記複数のキャップ手段内に順番に前記吸引手段による異なる負圧を発生させるように、前記切り替え手段と前記吸引手段とを制御する制御工程を具備することを特徴とする。
【手続補正４】
【補正対象書類名】明細書
【補正対象項目名】００２２
【補正方法】変更
【補正の内容】
【００２２】
また、本発明に係わる記憶媒体は、上記のプログラムをコンピュータで読み取り可能に記憶したことを特徴とする。